(57)【要約】【課題】オス型とメス型を一体に兼ね備えたＵＳＢコネクタを提供する。【解決手段】オス型とメス型を一体に兼ね備えたＵＳＢコネクタ１０であって、ハウジング部材１０１を具え、金属シェル１０３を具えてその第一端は開口部を呈し、第二端はケーシング部材中に装着して設け、コンタクト板１０５を具えてその上に複数個のコンタクト１０５Ａを設置し、該コンタクト板１０５の一端を該ハウジング部材の中に装着し、別の一端は該金属シェル１０３の開口部に位置し、該金属シェル１０３は可動で、該金属シェル１０３を動かして、該コンタクト１０５Ａが完全に外へ露出すると、該ＵＳＢコネクタをオス型ＵＳＢとすることができ、該金属シェル１０３を動かして、該コンタクト１０５Ａを内部に遮へいすると、該ＵＳＢコネクタはをメス型ＵＳＢコネクタとすることができるようにして成ることを特徴とするオス型とメス型を一体に兼ね備えたＵＳＢコネクタ。【選択図】  図１
0003111757.tif 000002
【実用新案登録請求の範囲】
【請求項１】
オス型とメス型を一体に兼ね備えたＵＳＢコネクタであって、ハウジング部材を具え、金属シェルを具えてその第一端は開口部を呈し、第二端はケーシング部材中に装着して設け、コンタクト板を具えてその上に複数個のコンタクトを設置し、該コンタクト板の一端を該ハウジング部材の中に装着し、別の一端は該金属シェルの開口部に位置し、該金属シェルは可動で、該金属シェルを動かして、該コンタクトが完全に外へ露出すると、該ＵＳＢコネクタをオス型ＵＳＢとすることができ、該金属シェルを動かして、該コンタクトを内部に遮へいすると、該ＵＳＢコネクタはをメス型ＵＳＢコネクタとすることができるようにして成ることを特徴とするオス型とメス型を一体に兼ね備えたＵＳＢコネクタ。
【請求項２】
該金属シェルは弾力によって該ハウジング部材の間を伸縮するようにして成ることを特徴とする請求項１記載のオス型とメス型を一体に兼ね備えたＵＳＢコネクタ。
【請求項３】
更に加えてスライド操作部材を具え、これを該ハウジング部材に設置し、且つ該スライド操作部材を該ハウジング部材の内部方向に向かって移動させると、該金属シェルがこれに連動して、該金属シェルが該ハウジング部材内部に移動するようにして成ることを特徴とする請求項１記載のオス型とメス型を一体に兼ね備えたＵＳＢコネクタ。
【請求項４】
該金属シェルの第二端は、該ハウジング部材を軸として軸回転するようにして成ることを特徴とする請求項１記載のオス型とメス型を一体に兼ね備えたＵＳＢコネクタ。
【請求項５】
該金属シェルの第二端は、該ハウジング部材の上下方向に軸回転するようにして成ることを特徴とする請求項４記載のオス型とメス型を一体に兼ね備えたＵＳＢコネクタ。
【請求項６】
該金属シェルの第二端は、該ハウジング部材の両側の左方向、右方向に向かってそれぞれ軸回転し、且つ該金属シェルは半分に分離するようにして成ることを特徴とする請求項４記載のオス型とメス型を一体に兼ね備えたＵＳＢコネクタ。
【請求項７】
該ＵＳＢコネクタは、オス型ＡタイプＵＳＢコネクタとし、且つ該金属シェルを動かして、該コンタクトが完全に露出することを特徴とする請求項１記載のオス型とメス型を一体に兼ね備えたＵＳＢコネクタ。
【請求項８】
該ＵＳＢコネクタは、メス型ＡタイプＵＳＢコネクタとし、該金属シェルを動かして、該コンタクトがその内部に遮へいされることを特徴とする請求項１記載のオス型とメス型を一体に兼ね備えたＵＳＢコネクタ。
【請求項９】
オス型とメス型を一体に兼ね備えたＵＳＢコネクタであって、ハウジング部材を具え、金属シェルを具えてその第一端は開口部を呈し、且つ第二端は該ハウジング部材の中に装着し、コンタクト板を具えてその上に複数個のコンタクトを設置し、該電気的コンタクト板の一端は該ハウジング部材中に装着し、且つ別の一端は該金属シェルの開口部に位置し、該コンタクト板は可動で、該電気的コンタクト板を動かして、該コンタクトが該金属シェルから完全に外へ露出すると、該ＵＳＢコネクタをオス型ＵＳＢコネクタとすることができ、該コンタクト板を動かして、該コンタクトが該金属シェル内部に遮へいされると、該ＵＳＢコネクタをメス型ＵＳＢコネクタとすることができるようにして成ることを特徴とするオス型とメス型を一体に兼ね備えたＵＳＢコネクタ。
【請求項１０】
該コンタクト板は、該ハウジング部材中を伸縮するようにして成ることを特徴とする請求項９記載のオス型とメス型を一体に兼ね備えたＵＳＢコネクタ。
【請求項１１】
更に加えて、スライド操作部材を具え、これを該ハウジング部材に設置し、且つ該スライド部材を該ハウジング部材の外部方向に移動すると、該コンタクト板がこれに連動し、該コンタクトが該金属シェルから露出するようにして成ることを特徴とする請求項９記載のオス型とメス型を一体に兼ね備えたＵＳＢコネクタ。
【請求項１２】
更に加えて変換アダプタを具えて成ることを特徴とする請求項１または請求項９記載のオス型とメス型を一体に兼ね備えたＵＳＢコネクタ。
【請求項１３】
該変換アダプタは該ハウジング部材中に装着して具えて成ることを特徴とする請求項１２記載のオス型とメス型を一体に兼ね備えたＵＳＢコネクタ。
【請求項１４】
該変換アダプタはケーブル式の変換アダプタとし、且つ該ケーブル式変換アダプタのケーブルの一端を該ハウジング部材中に装着して具えて成ることを特徴とする請求項１２記載のオス型とメス型を一体に兼ね備えたＵＳＢコネクタ。
【請求項１５】
該ＵＳＢコネクタは、オス型ＡタイプＵＳＢコネクタとし、該コンタクト板を動かして、該コンタクトが該金属シェルから完全に外に露出したときであるようにして成ることを特徴とする請求項９記載のオス型とメス型を一体に兼ね備えたＵＳＢコネクタ。
【請求項１６】
該ＵＳＢコネクタは、メス型ＡタイプＵＳＢコネクタとし、該コンタクト板を動かして、該コンタクトが該金属シェル内部に遮へいされたときであるようにして成ることを特徴とする請求項９記載のオス型とメス型を一体に兼ね備えたＵＳＢコネクタ。
【考案の詳細な説明】
【技術分野】
【０００１】
本考案はＵＳＢコネクタに関し、特に特にオス型とメス型を一体に兼ね備えたＵＳＢコネクタに関する。
【背景技術】
【０００２】
公知のオス型とメス型の接続機能を結合したＵＳＢコネクタは、単独のオス型コネクタとメス型コネクタを使用してこれをケーブルの両端に溶接しただけである。或いは絶縁ハウジングで、電気的に接続したオス型コネクタとメス型コネクタをその内部にパッケージングしている。公知のオス型とメス型の接続機能を結合したＵＳＢコネクタは、皆独立したオス型コネクタとメス型コネクタを実施手段としているため、全体の体積を縮小することができない。
【特許文献１】特開２００３−２１７７２８号公報
【考案の開示】
【考案が解決しようとする課題】
【０００３】
本考案は公知ＵＳＢコネクタの欠点を改善し、オス型とメス型を一体に兼ね備えたＵＳＢコネクタを提供し、オス型コネクタとメス型コネクタの接続機能を一個の部材上に集結することを課題とする。
【課題を解決するための手段】
【０００４】
本考案の提供するオス型とメス型を一体に兼ね備えたＵＳＢコネクタは、請求項１に記載するように、ハウジング部材を具え、金属シェルを具えてその第一端を開口部とし、第二端はハウジング部材中に挿設し、コンタクト板を具えてその上に複数のコンタクトを設置し、コンタクト板の一端はハウジング部材中に挿設し、別の一端は金属シェルの開口部に位置し、金属シェルは可動で、金属シェルを動かしてコンタクトが完全に外に露出すると、ＵＳＢコネクタをオス型ＵＳＢコネクタとすることができ、金属シェルを動かしてコンタクトがその内部に遮へいされると、ＵＳＢコネクタをメス型ＵＳＢコネクタとすることができる。
該金属シェルは弾力によって該ハウジング部材の間を伸縮するようにして成ることが好ましい。
更に加えてスライド操作部材を具え、これを該ハウジング部材に設置し、且つ該スライド操作部材を該ハウジング部材の内部方向に向かって移動させると、該金属シェルがこれに連動して、該金属シェルが該ハウジング部材内部に移動するようにして成ることが好ましい。
該金属シェルの第二端は、該ハウジング部材を軸として軸回転するようにして成ることが好ましい。
該金属シェルの第二端は、該ハウジング部材の上下方向に軸回転するようにして成ることが好ましい。
該金属シェルの第二端は、該ハウジング部材の両側の左方向、右方向に向かってそれぞれ軸回転し、且つ該金属シェルは半分に分離するようにして成ることが好ましい。
該ＵＳＢコネクタは、オス型ＡタイプＵＳＢコネクタとし、且つ該金属シェルを動かして、該コンタクトが完全に露出したときであるようにして成ることが好ましい。
該ＵＳＢコネクタは、メス型ＡタイプＵＳＢコネクタとし、該金属シェルを動かして、該コンタクトがその内部に遮へいされたときであるようにして成ることが好ましい。
【０００５】
本考案はさらに、オス型とメス型を一体に兼ね備えたＵＳＢコネクタであって、ハウジング部材を具え、金属シェルを具えてその第一端は開口部を呈し、且つ第二端は該ハウジング部材の中に装着し、コンタクト板を具えてその上に複数個のコンタクトを設置し、該電気的コンタクト板の一端は該ハウジング部材中に装着し、且つ別の一端は該金属シェルの開口部に位置し、該コンタクト板は可動で、該電気的コンタクト板を動かして、該コンタクトが該金属シェルから完全に外へ露出すると、該ＵＳＢコネクタをオス型ＵＳＢコネクタとすることができ、該コンタクト板を動かして、該コンタクトが該金属シェル内部に遮へいされると、該ＵＳＢコネクタをメス型ＵＳＢコネクタとすることができるようにして成ることを特徴とするオス型とメス型を一体に兼ね備えたＵＳＢコネクタである。
該コンタクト板は、該ハウジング部材中を伸縮するようにして成ることが好ましい。
更に加えて、スライド操作部材を具え、これを該ハウジング部材に設置し、且つ該スライド部材を該ハウジング部材の外部方向に移動すると、該コンタクト板がこれに連動し、該コンタクトが該金属シェルから露出するようにして成ることが好ましい。
更に加えて変換アダプタを具えて成ることが好ましい。
該変換アダプタは該ハウジング部材中に装着して具えて成ることが好ましい。
該変換アダプタはケーブル式の変換アダプタとし、且つ該ケーブル式変換アダプタのケーブルの一端を該ハウジング部材中に装着して具えて成ることが好ましい。
該ＵＳＢコネクタは、オス型ＡタイプＵＳＢコネクタとし、該コンタクト板を動かして、該コンタクトが該金属シェルから完全に外に露出したときであるようにして成ることを特徴とする。
また、該ＵＳＢコネクタは、メス型ＡタイプＵＳＢコネクタとし、該コンタクト板を動かして、該コンタクトが該金属シェル内部に遮へいされたときであるようにして成ることを特徴としても良い。
【考案の効果】
【０００６】
本考案のＵＳＢコネクタは以下の長所と改善箇所を具えている。
１．本考案のＵＳＢコネクタはメス型ＵＳＢコネクタとオス型ＵＳＢコネクタの接続機能を同時に兼ね備え、両用型ＵＳＢコネクタ全体の体積を大幅に縮小した。
２．本考案のＵＳＢコネクタはＵＳＢメモリ、ワイヤレスレシーバ、ＭＰ３プレイヤー、ＭＰＥＧ４プレイヤー、画像保存装置（フォトバンク）、携帯電話、デジタルカメラなどといった携帯電子機器に接続でき、このような製品のＵＳＢ接続能力を増進する。
【考案を実施するための最良の形態】
【０００７】
図１に本考案のＵＳＢコネクタの構造略図を示す。本考案のＵＳＢコネクタ１０はオス型とメス型を一体に兼ね備えたＵＳＢコネクタであり、使用者は金属シェル１０３を操作してもとの形態から変えることができ、金属シェル１０３に遮へいされている複数のコンタクト１０５Ａを外に露出させる。ＵＳＢコネクタ１０は主にハウジング部材１０１、金属シェル１０３及びコンタクト板１０５を具える。ハウジング部材１０１は樹脂などの絶縁材料を採用して製造することができる。金属シェル１０３の第一端は開口形状を呈し、第二端はハウジング部材１０１中に挿設する。コンタクト板１０５には複数のコンタクト１０５Ａを設置して具え、コンタクト１０５の一端はハウジング部材１０１中に挿設し、別の一端は金属シェル１０３の開口部に位置する。本考案のＵＳＢコネクタ１０の主な特徴は、金属シェル１０３が可動で形態を転換でき、金属シェル１０３を使用者が操作して、コンタクト１０５Ａが完全に外に露出すると、この時のＵＳＢコネクタ１０はオス型ＵＳＢコネクタとして使用する。また、金属シェル１０３を使用者が操作して、コンタクト１０５Ａが金属シェル１０３の内部に遮へいされると、この時のＵＳＢコネクタはメス型ＵＳＢコネクタとして使用する。
【０００８】
図２に示す本考案の第一具体的実施例で、図２に示すＵＳＢコネクタ１０はメス型ＵＳＢコネクタとして使用する状態であり、図３に示すように、金属シェル１０３は弾力方式により、自在にハウジング部材１０１の間を伸縮可動である。図４に示すように、金属シェル１０３がハウジング部材１０１内部に進入すると、この時のコンタクト板１０５は露出してきて、そのコンタクト１０５Ａも露出してくる。この時のＵＳＢコネクタ１０は変わってオス型ＵＳＢコネクタとして使用する。
【０００９】
図５に示す本考案の第二具体的実施例で、本考案のＵＳＢコネクタ１０は更に、スライド操作部材１０７を具え、これをハウジング部材１０１の側壁に設置する。図５に示すＵＳＢコネクタ１０はメス型ＵＳＢコネクタとして使用する状態であり、図６に示すように、スライド操作部材１０７をハウジング部材１０１の内部方向に移動すると、金属シェル１０３は一緒に同一方向に連動する。図７に示すように、金属シェル１０３が連動してハウジング部材１０１内部に進入すると、この時コンタクト板１０５は露出してきて、コンタクト１０５Ａも露出してくる。この時のＵＳＢコネクタ１０は変わってオス型ＵＳＢコネクタとして使用する。
【００１０】
図８に示す本考案の第三の実施例で、本考案のＵＳＢコネクタ１０は更にスライド操作部材１０７を具え、これをハウジング部材１０１の上壁に設置、或いは下壁に設置する。図８に示すＵＳＢコネクタ１０はメス型ＵＳＢコネクタとして使用する状態であり、図９に示すように、スライド部材１０７をハウジング部材１０１の外部方向に移動すると、コンタクト板１０５が一緒に同一方向に連動する。図１０に示すように、コンタクト１０５が連動して金属シェル１０３の外部に進出すると、コンタクト板１０５が露出し、コンタクト１０５Ａも露出してくる。この時のＵＳＢコネクタは変わってオス型ＵＳＢコネクタとして使用する。
【００１１】
図１１に示す本考案の第四具体的実施例で、図１１に示す本考案のＵＳＢコネクタ１０はメス型ＵＳＢコネクタとして使用する状態であり、図１２に示すように金属シェル１０３の第二端をハウジング部材１０１に枢設し、ハウジング部材１０１を軸に上向きに軸回転する。図１３に示すように、金属シェル１０３が完全に上向きに軸回転すると、この時のコンタクト板１０５は露出して、コンタクト１０５Ａも露出する。この時のＵＳＢコネクタ１０は変わってオス型ＵＳＢコネクタとして使用する。
【００１２】
図１４に示す本考案の第五具体的実施例で、図１４に示すＵＳＢコネクタ１０はメス型ＵＳＢコネクタとして使用する状態であり、図１５に示すように、金属シェル１０３の第二端はハウジング部材１０１に枢設し、ハウジング部材１０１を軸として左側と右側に向かってそれぞれ軸回転する。図１６に示すように、金属シェル１０３が完全に左、右両側にそれぞれ軸回転すると、この時の金属シェル１０３の構造は半分に分かれ、同時にコンタクト板１０５がこれにより露出し、コンタクト１０５Ａも露出する。この時のＵＳＢコネクタ１０は変わってオス型ＵＳＢコネクタとして使用する。
【００１３】
本考案のＵＳＢコネクタ１０は更に変換アダプタ１０９を具え、主な機能は異なる規格のＵＳＢコネクタを接続して使用できるようにすることである。図１７に示す変換アダプタ１０９は直接ハウジング部材１０１中に挿設する。図１８に示す変換アダプタ１０９は、ケーブル式変換アダプタを採用している。
【図面の簡単な説明】
【００１４】
【図１】本考案のＵＳＢコネクタの構造略図である。
【図２】図１の構造に基づいた、本考案のＵＳＢコネクタの第一具体的実施例である。
【図３】図２のＵＳＢコネクタの金属シェルが弾力によって伸縮を呈する状態の立体図である。
【図４】図２のＵＳＢコネクタを、オス型ＵＳＢコネクタに転換した立体図である。
【図５】図１の構造に基づいた、本考案のＵＳＢコネクタの第二具体的実施例である。
【図６】図５のＵＳＢコネクタの金属シェルがスライド操作部材の伸縮に連動して動く立体図である。
【図７】図５のＵＳＢコネクタを、オス型ＵＳＢコネクタに転換した立体図である。
【図８】図１の構造に基づいた、本考案のＵＳＢコネクタの第三具体的実施例である。
【図９】図８のＵＳＢコネクタのコンタクト板がスライド操作部材の伸縮に連動して動く立体図である。
【図１０】図８のＵＳＢコネクタを、オス型ＵＳＢコネクタに転換した立体図である。
【図１１】図１の構造に基づいた、本考案のＵＳＢコネクタの第四具体的実施例である。
【図１２】図１１のＵＳＢコネクタの金属シェルが軸回転する状態の立体図である。
【図１３】図１１のＵＳＢコネクタをオス型ＵＳＢコネクタに転換した立体図である。
【図１４】図１の構造に基づいた、本考案のＵＳＢコネクタの第五具体的実施例である。
【図１５】図１４のＵＳＢコネクタの金属シェルが軸回転する状態の立体図である。
【図１６】図１４ＮＵＳＢコネクタをオス型ＵＳＢコネクタに転換した立体図である。
【図１７】本考案のＵＳＢコネクタの変換アダプタの第一具体的実施例である。
【図１８】本考案のＵＳＢコネクタの変換アダプタの第二具体的実施例である。
【符号の説明】
【００１５】
１０      ＵＳＢコネクタ
１０１    ハウジング部材
１０３    金属シェル
１０５    コンタクト板
１０５Ａ  コンタクト
１０７    スライド操作部材
１０９    変換アダプタ
【図１】
0003111757.tif 000003
【図２】
0003111757.tif 000004
【図３】
0003111757.tif 000005
【図４】
0003111757.tif 000006
【図５】
0003111757.tif 000007
【図６】
0003111757.tif 000008
【図７】
0003111757.tif 000009
【図８】
0003111757.tif 000010
【図９】
0003111757.tif 000011
【図１０】
0003111757.tif 000012
【図１１】
0003111757.tif 000013
【図１２】
0003111757.tif 000014
【図１３】
0003111757.tif 000015
【図１４】
0003111757.tif 000016
【図１５】
0003111757.tif 000017
【図１６】
0003111757.tif 000018
【図１７】
0003111757.tif 000019
【図１８】
0003111757.tif 000020